(57)【特許請求の範囲】
【請求項１】
無線通信システムにおけるデータ送信の方法であって、無線電子装置で、
リソース・ブロックに対応する第１の信号を生成するステップであって、前記リソース・ブロックの各々は、複数のサブキャリアを含み、前記リソース・ブロックに対応する前記第１の信号は直交周波数分割多重アクセス（ＯＦＤＭＡ）信号である、ステップと、
前記リソース・ブロックに対応する前記第１の信号をスペクトル整形フィルタでフィルタして、隣接周波数帯におけるサイド・ローブ漏洩を削減し、第１のフィルタされた信号を生成するステップであって、前記スペクトル整形フィルタの帯域幅は前記無線電子装置に割り当てられた前記リソース・ブロックの全幅に等しい、ステップと、
前記第１のフィルタされた信号を前記通信システム内の受信機に、前記受信機に結合されたスケジューラにより提供されたタイムスロットで送信するステップであって、前記タイムスロットは前記受信機と通信する他の電子装置に関して独立に決定される、ステップと、
を含み、
前記第１のフィルタされた信号の送信は、他の電子装置によって送信された第２のフィルタされた信号の送信と非同期である、方法。
【請求項２】
前記第１のフィルタされた信号は、前記無線電子装置と前記受信機を同期するための同期基準で送信される、請求項１に記載の方法。
【請求項３】
前記スペクトル整形フィルタは前記電子装置に割り当てられたリソース・ブロックに集まる、請求項１および２の何れか１項に記載の方法。
【請求項４】
前記スペクトル整形フィルタの時間間隔は、ＯＦＤＭシンボルの半分に等しい、請求項３に記載の方法。
【請求項５】
前記同期基準はタイミング同期基準および周波数同期基準のうち一方である、請求項２乃至４の何れか１項に記載の方法。
【請求項６】
データを無線通信システム内で送信するための無線電子装置であって、
リソース・ブロックに対応する第１の信号を生成するように動作可能な変調器であって、前記リソース・ブロックの各々は、複数のサブキャリアを含み、前記リソース・ブロックに対応する前記第１の信号は直交周波数分割多重アクセス（ＯＦＤＭＡ）信号である、変調器と、
前記電子装置に割り当てられたリソース・ブロックに対応する前記第１の信号をフィルタして、隣接周波数帯におけるサイド・ローブ漏洩を削減し、第１のフィルタされた信号を生成するように動作可能なスペクトル整形フィルタであって、前記スペクトル整形フィルタの帯域幅は前記無線電子装置に割り当てられた前記リソース・ブロックの全幅に等しい、スペクトル整形フィルタと、
前記第１のフィルタされた信号を前記通信システム内の受信機に、前記受信機に結合されたスケジューラにより提供されたタイムスロットで送信するように動作可能な送信機であって、前記タイムスロットは前記受信機と通信する他の電子装置に関して独立に決定される、送信機と、
を備え、
前記第１のフィルタされた信号の送信は、他の電子装置によって送信された第２のフィルタされた信号の送信と非同期である、無線電子装置。
【請求項７】
前記スペクトル整形フィルタは前記無線電子装置に割り当てられたリソース・ブロックに集まる、請求項６に記載の無線電子装置。
【請求項８】
前記スペクトル整形フィルタの時間間隔は、ＯＦＤＭシンボルの半分に等しい、請求項７に記載の無線電子装置。
【請求項９】
前記第１のフィルタされた信号は、前記無線電子装置と前記受信機を同期するための同期基準で送信され、前記同期基準はタイミング同期基準および周波数同期基準のうち一方である、請求項６に記載の無線電子装置。
【請求項１０】
無線通信システムにおけるデータ送信を受信する方法であって、
受信機で、
第１のフィルタされた信号を前記通信システム内で無線電子装置からタイムスロットで受信するステップであって、前記タイムスロットは前記受信機と通信する他の電子装置に関して独立に決定され、リソース・ブロックに対応する前記第１の信号は直交周波数分割多重アクセス（ＯＦＤＭＡ）信号であり、前記リソース・ブロックの各々は、複数のサブキャリアを含む、ステップ
を含み、
前記無線電子装置に割り当てられたリソース・ブロックに対応する前記第１のフィルタされた信号はスペクトル整形フィルタでフィルタされ、隣接周波数帯におけるサイド・ローブ漏洩を削減し、前記スペクトル整形フィルタの帯域幅は前記無線電子装置に割り当てられた前記リソース・ブロックの全幅に等しく、前記第１のフィルタされた信号の送信は、他の電子装置によって送信された第２のフィルタされた信号の送信と非同期である、
方法。
【請求項１１】
前記第１のフィルタされた信号は、前記無線電子装置と前記受信機を同期するための同期基準で送信される、請求項１０に記載の方法。
【請求項１２】
前記スペクトル整形フィルタは前記電子装置に割り当てられた前記リソース・ブロックに集まる、請求項１０および１１の何れか１項に記載の方法。
【請求項１３】
高速フーリエ変換（ＦＦＴ）動作を前記第１のフィルタされた信号に実施して前記無線電子装置に対応する復調されたデータを取得するステップ
をさらに含む、請求項１０乃至１２の何れか１項に記載の方法。
【請求項１４】
前記対応する電子装置に時間同期される各フィルタの出力で動作ウィンドウをシフトすることによって複数の遅延補償信号を取得するステップと、
前記遅延補償信号を直交周波数分割多重（ＯＦＤＭ）シンボルに分割するステップと、
循環プレフィックスを前記ＯＦＤＭシンボルの各々から除去して変換されたシンボルを取得するステップと、
をさらに含む、請求項１０乃至１３の何れか１項に記載の方法。
【請求項１５】
無線通信システムにおけるデータ送信を受信するための装置であって、
第１のフィルタされた信号を前記通信システム内で無線電子装置からタイムスロットで受信するように構成された少なくとも１つの処理装置であって、前記タイムスロットは前記受信機と通信する他の電子装置に関して独立に決定され、リソース・ブロックの各々は、複数のサブキャリアを含み、前記リソース・ブロックに対応する前記第１の信号は直交周波数分割多重アクセス（ＯＦＤＭＡ）信号である、処理装置
を備え、
前記無線電子装置に割り当てられたリソース・ブロックに対応する前記第１のフィルタされた信号はスペクトル整形フィルタでフィルタされ、隣接周波数帯におけるサイド・ローブ漏洩を削減し、前記スペクトル整形フィルタの帯域幅は前記無線電子装置に割り当てられた前記リソース・ブロックの全幅に等しく、前記第１のフィルタされた信号の送信は、他の電子装置によって送信された第２のフィルタされた信号の送信と非同期である、
装置。
【請求項１６】
前記フィルタされた信号は、前記無線電子装置と前記受信機を同期するための同期基準で送信される、請求項１５に記載の装置。
【請求項１７】
前記スペクトル整形フィルタは前記電子装置に割り当てられた前記リソース・ブロックに集まる、請求項１５および１６の何れか１項に記載の装置。
【請求項１８】
前記少なくとも１つの処理装置はさらに、高速フーリエ変換（ＦＦＴ）動作を前記フィルタされた信号に実施して前記無線電子装置に対応する復調されたデータを取得するように構成される、請求項１５乃至１７の何れか１項に記載の装置。
【請求項１９】
前記少なくとも１つの処理装置はさらに、
前記対応する電子装置に時間同期される各フィルタの出力で動作ウィンドウをシフトすることによって複数の遅延補償信号を取得し、
前記遅延補償信号を直交周波数分割多重（ＯＦＤＭ）シンボルに分割し、
循環プレフィックスを前記ＯＦＤＭシンボルの各々から除去して変換されたシンボルを取得する
ように構成される、請求項１５乃至１８の何れか１項に記載の装置。
【発明の詳細な説明】
【技術分野】
【０００１】
関連出願への相互参照
本願は発明の名称を「非同期ＯＦＤＭＳ／ＳＣ−ＦＤＭＡのための方法および装置」とした２０１４年３月３１日に出願された米国特許出願第１４／２３１，２１７号に対する優先権の利益を主張し、その内容を引用により本明細書に組み込む。
【０００２】
本開示は一般に無線通信システムにおける非同期通信に関する。
【背景技術】
【０００３】
今日、直交周波数分割多重アクセス（ＯＦＤＭＡ）／単一キャリア周波数分割多重アクセス（ＳＣ−ＦＤＭＡ）システムが普及している。典型的には、ＯＦＤＭＡシステムにおいて、幾つかの異なるユーザ（即ち、当該通信システム上の通信を望むエンティティ）の信号には夫々、１つまたは複数の一意なサブキャリアが割り当てられる。各サブキャリアは、サブキャリアの全てを互いと干渉することなく同時送信できるように生成され送信される。したがって、独立な情報ストリームを各サブキャリアに変調でき、それにより、夫々のかかるサブキャリアは独立な情報を送信機から１つまたは複数の受信機に運搬することができる。
【０００４】
従来のＯＦＤＭＡ／ＳＣ−ＦＤＭＡシステムは長方形のパルス形状、即ち、周波数においてシンクを使用し、これは高いサイド・ローブを有する。結果として、直交性を維持するための厳格な同期要件がある。タイミング・アドバンス・シグナリングが同期多重アクセスに対して要求され、オーバヘッドを生じさせる。このオーバヘッドは送信機の数とともに増大し、これは、複数のマシンが基地局と通信するマシンタイプの通信のようなアプリケーションを考慮する。さらに、ＯＦＤＭＡ／ＳＣ−ＦＤＭＡは、異なる電子装置の間のキャリア周波数オフセット（ＣＦＯ）ミスマッチに強く敏感である。
【０００５】
前述の問題を回避するための１つの方法は、直交周波数分割多重／オフセット直交振幅変調（ＯＦＤＭ／ＯＱＡＭ）を使用することであり、これは近年、無線のコミュニティで人気となっている。しかし、ＯＦＤＭ／ＯＱＡＭの使用は、ピーク対平均電力比（ＰＡＰＲ）、多入力多出力（ＭＩＭＯ）送信、および時間領域テイルのような問題を有する。
【０００６】
したがって、その中心的な波形としてＯＦＤＭＡ／ＳＣ−ＦＤＭＡの利益を享受しつつ非同期通信の能力を提供するシステムを提供できるのが望ましいであろう。
【発明の概要】
【課題を解決するための手段】
【０００７】
１実施形態によれば、無線通信システムにおけるデータ送信の方法が提供される。当該方法は、電子装置に割り当てられたリソース・ブロックに対応する信号を生成するステップを含む。当該方法は、当該電子装置に割り当てられたリソース・ブロックに対応する信号をスペクトル整形フィルタでフィルタして、隣接周波数帯におけるサイド・ローブ漏洩を削減し、フィルタされた信号を生成するステップを含む。当該方法は、フィルタされた信号を当該通信システム内の受信機に、当該受信機に結合されたスケジューラにより提供されたタイムスロットで送信するステップであって、当該タイムスロットは当該受信機と通信する他の電子装置に関して独立に決定される、ステップを含む。
【０００８】
別の実施形態では、データを無線通信システム内で送信するための電子装置が提供される。当該電子装置は、当該電子装置に割り当てられたリソース・ブロックに対応する信号を生成するように動作可能な変調器を備える。当該電子装置は、当該電子装置に割り当てられたリソース・ブロックに対応する信号をフィルタして、隣接周波数帯におけるサイド・ローブ漏洩を削減し、フィルタされた信号を生成するように動作可能なスペクトル整形フィルタを備える。当該電子装置は、フィルタされた信号を当該通信システム内の受信機に、当該受信機に結合されたスケジューラにより提供されたタイムスロットで送信するように動作可能な送信機を備える。当該タイムスロットは当該受信機と通信する他の電子装置に関して独立に決定される。
【０００９】
別の実施形態では、無線通信システムにおけるデータ送信を受信する方法が提供される。当該方法は、複数の変調信号に対応する信号を受信するステップであって、当該複数の変調信号の各々は一意な電子装置に対応する、ステップを含む。当該方法は、当該受信信号を複数のフィルタでフィルタするステップであって、当該複数のフィルタの各々は当該夫々の電子装置に対するフィルタされた信号を取得するために夫々の電子装置における対応するフィルタにマッチされる、ステップを含む。当該方法は、高速フーリエ変換（ＦＦＴ）動作をフィルタされた信号に実施して当該夫々の電子装置に対応する復調されたデータを取得するステップを含む。
【００１０】
別の実施形態では、無線通信システムにおけるデータ送信を受信するための装置が提供される。当該装置は、複数の変調信号に対応する信号を受信するように構成された少なくとも１つの処理装置を備える。当該複数の変調信号の各々は一意な電子装置に対応する。当該少なくとも１つの処理装置は、当該受信信号を複数のフィルタでフィルタするように構成される。当該複数のフィルタの各々は当該夫々の電子装置に対するフィルタされた信号を取得するために夫々の電子装置における対応するフィルタにマッチされる。当該少なくとも１つの処理装置は高速フーリエ変換（ＦＦＴ）動作を当該フィルタされた信号に実施して、当該夫々の電子装置に対応する復調されたデータを取得するように構成される。
【００１１】
本開示およびその利点をより完全に理解するために、次に以下の説明を、添付図面と関連して参照する。添付図面では同様な番号は同様なオブジェクトを示す。
【図面の簡単な説明】
【００１２】
【図１】１実施形態に従う非同期通信のための例示的な通信システムの図である。
【図２Ａ】１実施形態に従う非同期通信を実装できる例示的な装置を示す図である。
【図２Ｂ】１実施形態に従う非同期通信を実装できる例示的な装置を示す図である。
【図３】１実施形態に従う非同期通信を実装するためのトポロジまたはシステムの１例を示す図である。
【図４】バンドパス信号のスペクトルに及ぼすダウン・サンプリングの影響を示す図である。
【図５】別の実施形態に従う非同期通信を実装するためのトポロジまたはシステムの１例を示す図である。
【図６】さらに別の実施形態に従う非同期通信を実装するためのトポロジまたはシステムの１例を示す図である。
【図７】同期ＯＦＤＭＡと比較した様々な変調に関するＢＬＥＲ曲線を示す図である。
【図８】同期ＯＦＤＭＡと比較した様々な変調に関するＢＬＥＲ曲線を示す図である。
【図９】同期ＯＦＤＭＡと比較した様々な変調に関するＢＬＥＲ曲線を示す図である。
【図１０】１実施形態に従う電子装置を動作させる方法を示す流れ図である。
【図１１】１実施形態に従う受信機を動作させる方法を示す流れ図である。
【発明を実施するための形態】
【００１３】
図１は例示的な通信システム１００を示す。一般に、システム１００は、複数の無線または有線のユーザがデータおよび他のコンテンツを送信し受信できるようにする。システム１００が、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、または単一キャリアＦＤＭＡ（ＳＣ−ＦＤＭＡ）のような１つまたは複数のチャネル・アクセス方法を実装してもよい。
【００１４】
当該例では、通信システム１００は、電子装置（ＥＤ）１１０ａ乃至１１０ｃ、無線アクセス・ネットワーク（ＲＡＮ）１２０ａ乃至１２０ｂ、コア・ネットワーク１３０、公衆交換電話網（ＰＳＴＮ）１４０、インターネット１５０、および他のネットワーク１６０を含む。特定数のこれらのコンポーネントまたは要素が図１に示されているが、任意数のこれらのコンポーネントまたは要素をシステム１００に含めてもよい。
【００１５】
ＥＤ１１０ａ乃至１１０ｃは、システム１００において動作および／または通信するように構成される。例えば、ＥＤ１１０ａ乃至１１０ｃは、無線または有線の通信チャネルを介して送信および／または受信するように構成される。各ＥＤ１１０ａ乃至１１０ｃは任意の適切なエンド・ユーザ装置を表し、ユーザ機器／装置（ＵＥ）、無線送信／受信ユニット（ＷＴＲＵ）、移動局、固定または可動のサブスクライバ・ユニット、携帯電話、携帯情報端末（ＰＤＡ）、スマートフォン、ラップトップ、コンピュータ、タッチパッド、無線センサ、または消費者電子装置のような装置を含んでもよい（またはそのように称されうる）。
【００１６】
ここでＲＡＮ１２０ａ乃至１２０ｂはそれぞれ基地局１７０ａ乃至１７０ｂを含む。各基地局１７０ａ乃至１７０ｂは、ＥＤ１１０ａ乃至１１０ｃのうち１つまたは複数と無線でインタフェースしてコア・ネットワーク１３０、ＰＳＴＮ１４０、インターネット１５０、および／または他のネットワーク１６０へのアクセスを可能とするように構成される。例えば、基地局１７０ａ乃至１７０ｂが、無線基地局（ＢＴＳ）、ノードＢ（ＮｏｄｅＢ）、発展型ＮｏｄｅＢ（ｅＮｏｄｅＢ）、ホームＮｏｄｅＢ、ホームｅＮｏｄｅＢ、サイト・コントローラ、アクセス・ポイント（ＡＰ）、または無線ルータのような幾つかの周知な装置のうち１つまたは複数を含んでもよい（または、であってもよい）。ＥＤ１１０ａ乃至１１０ｃは、インターネット１５０とインタフェースし通信するように構成され、コア・ネットワーク１３０、ＰＳＴＮ１４０、および／または他のネットワーク１６０にアクセスしてもよい。
【００１７】
図１に示す実施形態では、基地局１７０ａがＲＡＮ１２０ａの一部を形成する。ＲＡＮ１２０ａが他の基地局、要素、および／または装置を含んでもよい。また、基地局１７０ｂがＲＡＮ１２０ｂの一部を形成する。ＲＡＮ１２０ｂが他の基地局、要素、および／または装置を含んでもよい。各基地局１７０ａ乃至１７０ｂは、場合によっては「セル」と呼ばれる特定の地理的領域またはエリア内で、無線信号を送信および／または受信するように動作する。幾つかの実施形態では、セルごとに複数の送受信機を有する多入力多出力（ＭＩＭＯ）技術を使用してもよい。
【００１８】
基地局１７０ａ乃至１７０ｂは、無線通信リンクを用いて１つまたは複数のエア・インタフェース１９０上でＥＤ１１０ａ乃至１１０ｃのうち１つまたは複数と通信する。エア・インタフェース１９０が任意の適切な無線アクセス技術を利用してもよい。
【００１９】
システム１００が、上述したもののような方式を含む複数のチャネル・アクセス機能を使用してもよいことが考慮されている。特定の実施形態では、基地局とＥＤはＬＴＥ、ＬＴＥ−Ａ、および／またはＬＴＥ−Ｂを実装する。勿論、他の複数のアクセス方式および無線プロトコルを利用してもよい。
【００２０】
ＲＡＮ１２０ａ乃至１２０ｂはコア・ネットワーク１３０と通信して、ＥＤ１１０ａ乃至１１０ｃに音声、データ、アプリケーション、ボイス・オーバ・インターネット・プロトコル（ＶｏＩＰ）、または他のサービスを提供する。理解できるように、ＲＡＮ１２０ａ乃至１２０ｂおよび／またはコア・ネットワーク１３０が１つまたは複数の他のＲＡＮ（図示せず）と直接または間接に通信してもよい。コア・ネットワーク１３０が、（ＰＳＴＮ１４０、インターネット１５０、および他のネットワーク１６０のような）他のネットワークに対するゲートウェイ・アクセスとしての役割を果たしてもよい。さらに、ＥＤ１１０ａ乃至１１０ｃの一部または全部が、異なる無線技術および／またはプロトコルを用いて異なる無線リンク上で異なる無線ネットワークと通信するための機能を備えてもよい。無線通信の代わりに（またはそれに加えて）、ＥＤは有線の通信チャネルを介してサービス・プロバイダまたはスイッチ（図示せず）、およびインターネット１５０と通信してもよい。
【００２１】
図１は通信システムの１例を示すが、様々な変更を図１に行ってもよい。例えば、通信システム１００が任意の適切な構成における任意数のＥＤ、基地局、ネットワーク、または他のコンポーネントを備えることができる。
【００２２】
図２Ａおよび２Ｂは、本開示に従う方法と教示事項を実装できる例示的な装置を示す。特に、図２Ａは例示的なＥＤ１１０を示し、図２Ｂは例示的な基地局１７０を示す。これらのコンポーネントを、システム１００または任意の他の適切なシステムで使用することができる。
【００２３】
図２Ａに示すように、ＥＤ１１０は少なくとも１つの処理ユニット２００を含む。処理ユニット２００はＥＤ１１０の様々な処理動作を実装する。例えば、処理ユニット２００は、信号符号化、データ処理、電力制御、入出力処理、またはＥＤ１１０がシステム１００で動作できるようにする任意の他の機能を実施することができる。処理ユニット２００はまた、上でより詳細に説明した方法および教示事項をサポートする。各処理ユニット２００は、１つまたは複数の動作を実施するように構成された任意の適切な処理装置またはコンピューティング装置を備える。各処理ユニット２００が、例えば、マイクロプロセッサ、マイクロコントローラ、デジタル信号プロセッサ、フィールド・プログラマブル・ゲート・アレイ、または特殊用途向け集積回路を含んでもよい。
【００２４】
ＥＤ１１０はまた少なくとも１つの送受信機２０２を含む。送受信機２０２は、少なくとも１つのアンテナまたはＮＩＣ（Ｎｅｔｗｏｒｋ  Ｉｎｔｅｒｆａｃｅ  Ｃｏｎｔｒｏｌｌｅｒ）２０４による送信のためにデータまたは他のコンテンツを変調するように構成される。送受信機２０２はまた、少なくとも１つのアンテナ２０４により受信されたデータまたは他のコンテンツを復調するように構成される。各送受信機２０２は、無線でまたは有線で受信された無線送信または有線送信用の信号および／または処理信号を生成するための任意の適切な構造を含む。各アンテナ２０４は、無線または有線の信号を送信および／または受信するための任意の適切な構造を含む。１つまたは複数の送受信機２０２をＥＤ１１０で使用でき、１つまたは複数のアンテナ２０４をＥＤ１１０で使用することができる。単一の機能ユニットとして示されているが、送受信機２０２をまた、少なくとも１つの送信機および少なくとも１つの別々の受信機を用いて実装することができる。
【００２５】
ＥＤ１１０はさらに、１つまたは複数の入出力装置２０６または（インターネット１５０への有線インタフェースのような）インタフェースを含む。入出力装置２０６はネットワーク内のユーザまたは他の装置との対話（ネットワーク通信）を促進する。各入出力装置２０６は、ネットワーク・インタフェース通信を含む、スピーカ、マイクロフォン、キーパッド、キーボード、ディスプレイ、またはタッチスクリーンのような、情報をユーザに提供するかまたは情報をユーザから受信／提供するための任意の適切な構造を備える。
【００２６】
さらに、ＥＤ１１０は少なくとも１つのメモリ２０８を備える。メモリ２０８は、ＥＤ１１０により使用、生成、または収集された命令およびデータを格納する。例えば、メモリ２０８は、処理ユニット（複数可）２００により実行されるソフトウェアまたはファームウェア命令、および、入ってくる信号における干渉を削減または排除するために使用されるデータを格納することができる。各メモリ２０８は、任意の適切な揮発性および／または不揮発性記憶および検索装置（複数可）を含む。ランダム・アクセス・メモリ（ＲＡＭ）、読取専用メモリ（ＲＯＭ）、ハード・ディスク、光ディスク、加入者識別モジュール（ＳＩＭ）カード、メモリ・スティック、セキュア・デジタル（ＳＤ）メモリ・カード等のような任意の適切なタイプのメモリを使用してもよい。
【００２７】
図２Ｂに示すように、基地局１７０は、少なくとも１つの処理ユニット２５０、少なくとも１つの送信機２５２、少なくとも１つの受信機２５４、１つまたは複数のアンテナ２５６、少なくとも１つのメモリ２５８、および１つまたは複数の入出力装置またはインタフェース２６６を備える。スケジューラ２５３は、当業者により理解されようが、処理ユニット２５０に接続される。スケジューラ２５３を基地局１７０内に含めることができ、または、スケジューラ２５３は基地局１７０と別々に動作することができる。処理ユニット２５０は、信号符号化、データ処理、電力制御、入出力処理、または任意の他の機能のような基地局１７０の様々な処理動作を実装する。処理ユニット２５０はまた、上でより詳細に説明されている方法および教示事項をサポートすることができる。各処理ユニット２５０は、１つまたは複数の動作を実施するように構成された任意の適切な処理装置またはコンピューティング装置を備える。各処理ユニット２５０が、例えば、マイクロプロセッサ、マイクロコントローラ、デジタル信号プロセッサ、フィールド・プログラマブル・ゲート・アレイ、または特殊用途向け集積回路を含んでもよい。
【００２８】
各送信機２５２は、１つまたは複数のＥＤまたは他の装置への無線または有線の送信のための信号を生成するための任意の適切な構造を備える。各受信機２５４は、無線でまたは有線で１つまたは複数のＥＤまたは他の装置から受信された信号を処理するための任意の適切な構造を含む。別個のコンポーネントとして示されているが、少なくとも１つの送信機２５２および少なくとも１つの受信機２５４を送受信機に組み込むことができる。各アンテナ２５６は、無線または有線の信号を送信および／または受信するための任意の適切な構造を備える。ここでは共通アンテナ２５６が送信機２５２および受信機２５４の両方に接続されているとして示されているが、１つまたは複数のアンテナ２５６を送信機（複数可）２５２に接続でき、１つまたは複数の別々のアンテナ２５６を受信機（複数可）２５４に接続することができる。各メモリ２５８は、任意の適切な揮発性および／または不揮発性記憶および検索装置（複数可）を含む。各入出力装置２６６は、ネットワーク内のユーザまたは他の装置との対話（ネットワーク通信）を促進する。各入出力装置２６６は、ネットワーク・インタフェース通信を含む、情報をユーザに提供するかまたは情報をユーザから受信／提供するための任意の適切な構造を備える。
【００２９】
ＥＤ１１０および基地局１７０に関する追加の詳細は当業者に知られている。したがって、これらの詳細は明確さのためここでは省略する。
【００３０】
図３は本開示の１実施形態に従うデータの無線送信のためのトポロジまたはシステム３００の１例を示す。システム３００は、複数の電子装置（ＥＤ）３０２乃至３０３（例えば、ＥＤ＃１乃至ＥＤ＃Ｋ）と少なくとも１つの受信機３２０を備える。幾つかの実施形態では、各電子装置３０２、３０３が図１の電子装置１１０を備えてもよく、受信機３２０が図１の基地局１７０を備えてもよい。本明細書で説明する技術を、当該受信機がＥＤの信号の非同期重ね合せを受信する非同期システムに使用してもよい。これらの技術をまた、当該受信機がＥＤの信号の同期重ね合せを受信する同期システムに使用してもよい。
【００３１】
各ＥＤ３０２、３０３は、夫々のデータ３０４、３０５を受信するように構成された夫々のＯＦＤＭ変調器３０６、３０７と、夫々のスペクトル整形フィルタ３０８、３０９とを備える。データ３０４、３０５が変調データ・シーケンスであってもよく、ＯＦＤＭ変調器３０６、３０７は逆高速フーリエ変換（ＩＦＦＴ）ブロックを含む。ＯＦＤＭ変調器３０６、３０７はまた、夫々の循環プレフィックス（ＣＰ）生成器（図示せず）を備えてもよい。
【００３２】
動作中は、各ＥＤ３０２、３０３は、その割り当てられたリソース・ブロックに対応する（変調データ・シーケンスへのＩＦＦＴ動作の結果である）その変調信号を生成する。リソース・ブロックは１組のリソース要素である。各リソース要素は、特定のＯＦＤＭシンボルにおける特定のサブキャリアに対応する。例えば、ＬＴＥ内のリソース・ブロックは１組の１２×１４＝１６８個のリソース要素（例えば、１４個の連続的なＯＦＤＭシンボル内に１２個の連続的なサブキャリア）として定義される。当該信号はＯＦＤＭ信号、ＤＦＴＳ−ＯＦＤＭ信号、または他の信号であってもよい。その後、各ＥＤ３０２、３０３はそのＯＦＤＭ信号をその適切に設計されたスペクトル整形フィルタ３０８、３０９に通して、周波数における隣接電子装置へのサイド・ローブ漏洩を排除する。サイド・ローブの排除について言及しているが、当該フィルタがサイド・ローブを削減するかまたは強く減衰させる場合には説明した方法およびシステムはまた適用可能であることは当業者には理解されるであろう。フィルタリングは各ＥＤの信号を周波数において局所化させる。ＥＤは周波数において互いのそばにあるように割り当てられ、その結果、当該フィルタリング後の各信号は、ＥＤが互いに生じさせる干渉の量が無視できる特定のレベルに局所化される。
【００３３】
例示すると、スペクトル整形フィルタ３０８はＥＤ＃１の割り当てられたリソース・ブロックに集まり、その帯域幅はＥＤ＃１に割り当てられたリソース・ブロックの全幅に等しく、その時間間隔はＯＦＤＭシンボルの半分に等しい。同様に、スペクトル整形フィルタ３０９はＥＤ＃Ｋの割り当てられたリソース・ブロックに集まり、その帯域幅はＥＤ＃Ｋに割り当てられたリソース・ブロックの全幅に等しく、その時間間隔はＯＦＤＭシンボルの半分に等しい。
【００３４】
スペクトル整形フィルタ３０８、３０９は鋭いサイド・ローブ漏洩排除を提供し、その結果、電子装置３０２、３０３は非同期送信中に互いに干渉を生じさせない。例示的な例として、スペクトル整形フィルタ３０８が有限インパルス応答（ＦＩＲ）フィルタまたは他の適切なフィルタであってもよい。
【００３５】
各ＥＤ３０２、３０３は送信を任意の時点で開始する。即ち、他のＥＤと同期する必要はない。しかし、受信機３２０はいつ送信が行われるかを知る必要がある。
【００３６】
受信機３２０が結合信号３１０を受信するように、ＥＤ３０２、３０３の各々により送信された変調信号は通信チャネルを通過し、受信機３２０で受信され、結合される。図示したように、受信信号３１０は、Ｋ個のＥＤ３０２、３０３に対応するＫ個の動作チェーンを通過する。各チェーンの出力（例えば、３３４、３３５）は対応するＥＤの復調されたシーケンスである。
【００３７】
例示すると、ｉ番目のチェーンの受信機動作はフィルタリングを含む。受信信号３１０はフィルタｈｉ＊（−ｎ）を通過し、フィルタｈｉ＊（−ｎ）はＥＤ＃ｉで使用される対応するフィルタにマッチする。このマッチされたフィルタリングの役割は二重である。即ち、先ず、信号３１０からの他のＥＤの寄与を拒絶する。これにより、ＯＦＤＭ受信機（即ち、当該チェーンにおける後続のＦＦＴブロック）が、近傍のＥＤからの任意の干渉を掴まないことを保証する。第２に、マッチされたフィルタリングがＥＤ＃ｉの受信信号雑音比を最大化する。
【００３８】
例えば、第１のチェーンの受信機動作はフィルタリングを含む。受信信号３１０はフィルタｈ１＊（−ｎ）３２２を通過し、フィルタｈ１＊（−ｎ）３２２はＥＤ＃１  ３０２で使用されるフィルタ３０８にマッチする。同様に、Ｋ番目のチェーンの受信機動作はフィルタリングを含む。受信信号３１０はフィルタｈＫ＊（−ｎ）３２３を通過し、フィルタｈＫ＊（−ｎ）３２３はＥＤ＃Ｋ  ３０３で使用されるフィルタ３０９にマッチする。
【００３９】
ｉ番目のチェーンの受信機動作は、時間同期ブロックで実施されるＥＤ毎の時間同期を含む。例えば、上述のフィルタリングの出力で、動作ウィンドウは、対応するＥＤに時間同期されるように適切にシフトされる。この適切な時間シフトは、ＥＤ＃ｉの遅延を、エンド・ツー・エンド・フィルタ
【００４０】
【数１】
0006504572.tif 000002
【００４１】
の総遅延、即ち、典型的にはその中程度のタップであるその最も強いタップの遅延とともに含む。当該信号の先頭と末尾は、エンド・ツー・エンド・フィルタｇｉ（ｎ）のため、切り詰められる。
【００４２】
例示すると、第１のチェーンの受信機動作は、時間同期ブロック３２４で実施される時間同期を含む。フィルタ３２２の出力で、遅延補償信号は、対応するＥＤ（例えば、ＥＤ＃１  ３０２）に時間同期されるように適切に動作ウィンドウをシフトすることによって得られる。当該適切な時間シフトは、ＥＤ＃１  ３０２の遅延を、エンド・ツー・エンド・フィルタ
【００４３】
【数２】
0006504572.tif 000003
【００４４】
の総遅延とともに含む。遅延補償信号は次いでＯＦＤＭシンボルに分割され、循環プレフィックス（ＣＰ）が循環プレフィックス除去ブロック３２６により各受信されたＯＦＤＭシンボルから除去される。同様に、Ｋ番目のチェーンの受信機動作は、時間同期ブロック３２５で実施される時間同期を含む。フィルタ３２３の出力で、遅延補償信号は、対応するＥＤ（例えば、ＥＤ＃Ｋ  ３０３）に時間同期されるように適切に動作ウィンドウをシフトすることによって得られる。当該適切な時間シフトは、ＥＤ＃Ｋ  ３０３の遅延をエンド・ツー・エンド・フィルタ
【００４５】
【数３】
0006504572.tif 000004
【００４６】
の総遅延とともに含む。当該遅延補償信号は次いでＯＦＤＭシンボルに分割され、循環プレフィックス（ＣＰ）が循環プレフィックス除去ブロック３２７により各受信されたＯＦＤＭシンボルから除去される。
【００４７】
ｉ番目のチェーンの受信機動作は、ダウン・サンプリング・ブロックで実施されるダウン・サンプリングを含む。例えば、各ＯＦＤＭシンボルはＮ／Ｎｉの因子でダウン・サンプルされ、Ｎは各ＥＤのＯＦＤＭシンボルの高速フーリエ変換（ＦＦＴ）サイズであり、
【００４８】
【数４】
0006504572.tif 000005
【００４９】
であり、ＭｉはＥＤ＃ｉに割り当てられたサブキャリアの数である。したがって、各結果のＯＦＤＭシンボルはＮｉ個のサンプルを有する。ダウン・サンプリングは受信機の計算量削減のために行われる。ダウン・サンプリング因子は再構築のためのナイキスト・サンプリング基準を満たすように選択され、Ｎｉの制約は後続のＦＦＴを可能とするために２のべき乗である。
【００５０】
例えば、第１のチェーンの受信機動作は、ダウン・サンプリング・ブロック３２８で実施されるダウン・サンプリングを含む。同様に、Ｋ番目のチェーンの受信機動作は、ダウン・サンプリング・ブロック３２９で実施されるダウン・サンプリングを含む。
【００５１】
ｉ番目のチェーンの受信機動作は、ダウン・サンプリングの影響を説明するための拡大を含み、拡大された信号はＮｉ点のＦＦＴブロック（例えば、「ショート」ＦＦＴ）を通過して、各シンボルを周波数領域に変換する。例えば、第１のチェーンの受信機動作は、ダウン・サンプリングの影響を説明するためのダウン・サンプルされた信号の拡大を含み、拡大された信号はＮ１点のＦＦＴブロック３３０を通過する。同様に、Ｋ番目のチェーンの受信機動作は、ダウン・サンプリングの影響を説明するためのダウン・サンプルされた信号の拡大を含み、ＮＫ点のＦＦＴブロック３３１を通過する。
【００５２】
ｉ番目のチェーンの受信機動作は、バンドパス信号のダウン・サンプリングを説明するために循環サブキャリア・シフト・ブロックで実施される循環サブキャリア・シフトを含む。例えば、第１のチェーンの受信機動作は、循環サブキャリア・シフト・ブロック３３２で実施される循環サブキャリア・シフトを含む。同様に、Ｋ番目のチェーンの受信機動作は、循環サブキャリア・シフト・ブロック３３３で実施される循環サブキャリア・シフトを含む。各チェーンの出力（例えば、３３４、３３５）は対応するＥＤの復調されたシーケンスである。
【００５３】
図３は本開示の１実施形態に従うデータの無線送信のためのシステム３００の１例を示すが、様々な変更を図３に行ってもよい。例えば、特定のニーズに従って、図３における様々なコンポーネントを組み合わせ、さらに細分割し、移動し、または省略することができ、追加のコンポーネントを加えることができる。また、システム３００は図３に示す任意数の各コンポーネントを備えることができる。
【００５４】
図４はバンドパス信号のスペクトルに及ぼすダウン・サンプリングの影響を示す。バンドパス信号の当該スペクトルが４０２で示されている。周波数１／Ｔｓで反復されるバンドパス信号が４０４で示されている。４０６で図示したように、サンプリング速度１／Ｔｓでダウン・サンプルされた信号のスペクトルは、バンドパス信号により占有されるスペクトルとダウン・サンプリング速度に応じた、元のスペクトルの循環的にシフトされたバージョンでありうる。図３のＥＤ＃ｉのＯＦＤＭ信号は一般にバンドパスであるので、図３に示した循環サブキャリア・シフトの役割はこの影響を補償することである。
【００５５】
図４はバンドパス信号のスペクトルに及ぼすダウン・サンプリングの影響の１例を示すが、様々な変更を図４に行ってもよい。例えば、当該バンドパス信号のスペクトルおよびサンプリング速度１／Ｔｓは例示のためにすぎない。
【００５６】
図５は、本開示の１実施形態に従うデータの無線送信のためのトポロジまたはシステム５００の別の例を示す。システム５００は、図３の複数の電子装置３０２乃至３０３（例えば、ＥＤ＃１乃至ＥＤ＃Ｋ）および少なくとも１つの受信機５２０を備える。本例と図３に示す例の相違点は、本例では、ダウン・サンプリングがなく、ショートＦＦＴがなく、循環サブキャリア・シフトがないことである。その代り、フルサイズＦＦＴがＥＤごとに実施される。
【００５７】
受信機５２０が結合信号３１０を受信するように、ＥＤ３０２、３０３により送信された変調信号が結合される。図示したように、受信信号３１０はＫ個のＥＤ３０２、３０３に対応するＫ個の動作チェーンを通過する。各チェーンの出力は対応するＥＤの復調されたシーケンス（例えば、５３４、５３５）である。
【００５８】
例示すると、ｉ番目のチェーンの受信機動作はフィルタリングを含む。受信信号３１０はフィルタｈｉ＊（−ｎ）を通過し、フィルタｈｉ＊（−ｎ）はＥＤ＃ｉで使用される対応するフィルタにマッチする。例えば、第１のチェーンの受信機動作はフィルタリングを含む。受信信号３１０はフィルタｈ１＊（−ｎ）５２２を通過し、フィルタｈ１＊（−ｎ）５２２はＥＤ＃１  ３０２で使用されるフィルタ３０８にマッチされる。同様に、Ｋ番目のチェーンの受信機動作はフィルタリングを含む。受信信号３１０はフィルタｈＫ＊（−ｎ）５２３を通過し、フィルタｈＫ＊（−ｎ）５２３はＥＤ＃Ｋ  ３０３で使用されるフィルタ３０９にマッチする。
【００５９】
ｉ番目のチェーンの受信機動作は、時間同期ブロックで実施されるＥＤ毎の時間同期を含む。例えば、上述のフィルタリングの出力で、動作ウィンドウは、対応するＥＤに時間同期されるように適切にシフトされる。例示すると、第１のチェーンの受信機動作は、時間同期ブロック５２４で実施される時間同期を含む。フィルタ５２２の出力で、遅延補償信号が、対応するＥＤ（例えば、ＥＤ＃１  ３０２）に時間同期されるように適切に動作ウィンドウをシフトすることによって得られる。当該適切な時間シフトは、ＥＤ＃１  ３０２の遅延を、エンド・ツー・エンド・フィルタ
【００６０】
【数５】
0006504572.tif 000006
【００６１】
の総遅延とともに含む。当該遅延補償信号は次いでＯＦＤＭシンボルに分割され、循環プレフィックス（ＣＰ）は循環プレフィックス除去ブロック５２６により各受信されたＯＦＤＭシンボルから除去される。
【００６２】
同様に、Ｋ番目のチェーンの受信機動作は、時間同期ブロック５２５で実施される時間同期を含む。フィルタ５２３の出力で、遅延補償信号は、当該対応するＥＤ（例えば、ＥＤ＃Ｋ  ３０３）に時間同期されるように適切に動作ウィンドウをシフトすることによって得られる。当該適切な時間シフトは、ＥＤ＃Ｋ  ３０３の遅延をエンド・ツー・エンド・フィルタ
【００６３】
【数６】
0006504572.tif 000007
【００６４】
の総遅延とともに含む。当該遅延補償信号は次いでＯＦＤＭシンボルに分割され、循環プレフィックス（ＣＰ）が循環プレフィックス除去ブロック５２７により各受信されたＯＦＤＭシンボルから除去される。
【００６５】
ｉ番目のチェーンの受信機動作は、各シンボルを周波数領域に変換するためにＥＤごとにＦＦＴブロックで実施されるフルサイズＦＦＴを含む。例えば、第１のチェーンの受信機動作は、循環プレフィックスが除去された後にフルサイズＦＦＴをＦＦＴブロック５３０で実施するステップを含む。同様に、Ｋ番目のチェーンの受信機動作は、当該循環プレフィックスが除去された後にフルサイズＦＦＴをＦＦＴブロック５３１で実施するステップを含む。各チェーンの出力（例えば、５３４、５３５）は対応するＥＤの復調されたシーケンスである。
【００６６】
図５は本開示の１実施形態に従うデータの無線送信のためのシステム５００の１例を示すが、様々な変更を図５に行ってもよい。例えば、特定のニーズに従って、図５における様々なコンポーネントを組み合わせ、さらに細分割し、移動し、または省略することができ、追加のコンポーネントを加えることができる。また、システム５００は図５に示す任意数の各コンポーネントを備えることができる。
【００６７】
図６は本開示の１実施形態に従うデータの無線送信のためのトポロジまたはシステム６００の別の例を示す。システム６００は、図３の複数の電子装置３０２乃至３０３（例えば、ＥＤ＃１乃至ＥＤ＃Ｋ）および少なくとも１つの受信機６２０を備える。本例と図５に示す例の相違点は、本例では、単一のフルサイズＦＦＴのみが受信機６２０で実施されることである。
【００６８】
受信機６２０が結合信号３１０を受信するように、ＥＤ３０２、３０３により送信された変調信号が結合される。図示したように、受信信号３１０はＫ個のＥＤ３０２、３０３に対応するＫ個の動作チェーンを通過する。各チェーンの出力は対応するＥＤの復調されたシーケンス（例えば、６３４、６３５）である。
【００６９】
例示すると、ｉ番目のチェーンの受信機動作はフィルタリングを含む。受信信号３１０はフィルタｈｉ＊（−ｎ）を通過し、フィルタｈｉ＊（−ｎ）はＥＤ＃ｉで使用される対応するフィルタにマッチする。例えば、第１のチェーンの受信機動作はフィルタリングを含む。受信信号３１０はフィルタｈ１＊（−ｎ）６２２を通過し、フィルタｈ１＊（−ｎ）６２２はＥＤ＃１  ３０２で使用されるフィルタ３０８にマッチされる。同様に、Ｋ番目のチェーンの受信機動作はフィルタリングを含む。受信信号３１０はフィルタｈＫ＊（−ｎ）６２３を通過し、フィルタｈＫ＊（−ｎ）６２３はＥＤ＃Ｋ  ３０３で使用されるフィルタ３０９にマッチする。
【００７０】
ｉ番目のチェーンの受信機動作は、時間同期ブロックで実施されるＥＤ毎の時間同期を含む。例えば、上述のフィルタリングの出力で、動作ウィンドウは、対応するＥＤに時間同期されるように適切にシフトされる。例示すると、第１のチェーンの受信機動作は、時間同期ブロック６２４で実施される時間同期を含む。フィルタ６２２の出力で、遅延補償信号は、対応するＥＤ（例えば、ＥＤ＃１  ３０２）に時間同期されるように適切に動作ウィンドウをシフトすることによって得られる。当該適切な時間シフトは、ＥＤ＃１  ３０２の遅延を、エンド・ツー・エンド・フィルタ
【００７１】
【数７】
0006504572.tif 000008
【００７２】
の総遅延とともに含む。当該遅延補償信号は次いでＯＦＤＭシンボルに分割され、循環プレフィックス（ＣＰ）は循環プレフィックス除去ブロック６２６により各受信されたＯＦＤＭシンボルから除去される。
【００７３】
同様に、Ｋ番目のチェーンの受信機動作は、時間同期ブロック６２５で実施される時間同期を含む。フィルタ６２３の出力で、遅延補償信号は、対応するＥＤ（例えば、ＥＤ＃Ｋ  ３０３）に時間同期されるように適切に動作ウィンドウをシフトすることによって得られる。当該適切な時間シフトは、ＥＤ＃Ｋ  ３０３の遅延を、エンド・ツー・エンド・フィルタ
【００７４】
【数８】
0006504572.tif 000009
【００７５】
の総遅延とともに含む。当該遅延補償信号は次いでＯＦＤＭシンボルに分割され、循環プレフィックス（ＣＰ）が循環プレフィックス除去ブロック６２７により各受信されたＯＦＤＭシンボルから除去される。循環プレフィックス除去ブロック６２６、６２７の出力を合計して結合出力６２８を形成する。
【００７６】
当該受信機動作は、各シンボルを周波数領域に変換するためにＦＦＴブロックで実施される単一のフルサイズＦＦＴを含む。例えば、第１のチェーンの受信機動作は、ＦＦＴブロック６３０で単一のフルサイズＦＦＴを当該結合された循環プレフィックス除去シンボルに実施するステップを含む。同様に、Ｋ番目のチェーンの受信機動作は、ＦＦＴブロック６３０で単一のフルサイズＦＦＴを当該結合された循環プレフィックス除去シンボルに実施するステップを含む。各チェーンの出力（例えば、６３４、６３５）は対応するＥＤの復調されたシーケンスである。
【００７７】
図６は本開示の１実施形態に従うデータの無線送信のためのシステム６００の１例を示すが、様々な変更を図６に行ってもよい。例えば、図６における様々なコンポーネントを特定のニーズに従って組み合わせ、さらに細分割し、移動し、または省略することができ、追加のコンポーネントを加えることができる。また、システム６００は図６に示す任意数の各コンポーネントを備えることができる。
【００７８】
図７乃至９は、同期ＯＦＤＭＡの使用と比較して提示された非同期ＯＦＤＭＡ／ＳＣ−ＦＤＭＡシステムを用いた様々な変調のためのブロック・エラー率（ＢＬＥＲ）曲線を示す。図７は、加法性ホワイト・ガウス・ノイズ（ＡＷＧＮ）チャネル上の四位相偏移変調（ＱＰＳＫ）および前方誤り訂正（ＦＥＣ）率１／２を有する提示された非同期ＯＦＤＭＡ／ＳＣ−ＦＤＭＡシステムのＢＬＥＲ性能を示す。図７に示すように、当該非同期ＯＦＤＭＡは、ＱＰＳＫに対する同期ＯＦＤＭＡと同一のＢＬＥＲ性能を実質的に示す。
【００７９】
図８は、ＡＷＧＮチャネル上の１６ＱＡＭおよびＦＥＣ率１／２を有する提示された非同期ＯＦＤＭＡ／ＳＣ−ＦＤＭＡシステムのＢＬＥＲ性能を示す。図示したように、性能損失は１６ＱＡＭに対する０．０５ｄＢより小さい。
【００８０】
図９は、ＡＷＧＮチャネル上の６４ＱＡＭおよびＦＥＣ率１／２を有する提示された非同期ＯＦＤＭＡ／ＳＣ−ＦＤＭＡシステムのＢＬＥＲ性能を示す。図９に示すように、性能損失は６４ＱＡＭに対する０．２ｄＢより小さい。
【００８１】
図７乃至９に示す結果に到達する際、３つのＥＤが受信機と通信するシナリオにおいて提示された方式を用いてアップリンク非同期ＯＦＤＭＡシステムがシミュレートされた。３つのリソース・ブロックが各ＥＤに割り当てられ、１つのガード・サブキャリアが、周波数において隣接するＥＤの各対の間で予約された。ＦＩＲフィルタが時間間隔Ｔ／２で使用された。ＴはＣＰのないＯＦＤＭシンボル期間である。ＥＤのＦＦＴサイズはＮ＝１０２４であり、受信機のＦＦＴサイズはＮｉ＝６４であり、１≦ｉ≦３であった。送信帯域幅は１０ＭＨｚであり、当該信号は０とＴの間で均一に分散されたランダム遅延を有する加法性ホワイト・ガウス・ノイズ（ＡＷＧＮ）チャネルを通過した。
【００８２】
比較のために、（図６に示すように）ＥＤ毎の時間同期ブロックの出力が一緒に追加されＦＦＴサイズ１０２４を有する単一のＯＦＤＭ復調器を通過する、修正された受信機をシミュレートする。変調レベルごとのシミュレーション結果も図７乃至９に「フィルタ有、１Ｓｂｃｒ間隔、単一のＦＦＴ」として示されている。図示したように、当該受信機は、より高い変調レベルに対してより大きい性能ギャップを有する。性能損失は、単一のＦＦＴ動作後に復調信号内に留まる残差ＥＤ間干渉に起因する。これは、単一のＦＦＴ動作と反対の提示された非同期ＯＦＤＭＡ／ＳＣ−ＦＤＭＡ復号器内の別々のＥＤ処理の利益を示す。
【００８３】
図１０は、例えば、図１の電子装置１１０または図３、５および６の電子装置３０２、３０３のような電子装置により実施できる、開示された実施形態に従う電子装置を動作する方法１０００を示す流れ図である。
【００８４】
方法１０００は、ステップ１００２で無線装置に割り当てられたリソース・ブロックに対応する信号を生成するステップを含む。例えば、各ＥＤ３０２、３０３は、その割り当てられたリソース・ブロックに対応する（変調データ・シーケンスへのＩＦＦＴ動作の結果である）その変調信号を生成する。
【００８５】
方法１０００は、ステップ１００４で、無線装置に割り当てられたリソース・ブロックに対応する信号をスペクトル整形フィルタでフィルタし、周波数において当該無線装置に隣接する第２の無線装置へのサイド・ローブ漏洩を排除するフィルタされた信号を生成するステップを含む。例えば、各ＥＤ３０２、３０３は、周波数における隣接電子装置へのサイド・ローブ漏洩を排除するために、適切に設計されたスペクトル整形フィルタ３０８、３０９にそのＯＦＤＭ信号を通過させる。
【００８６】
方法１０００は、ステップ１００６で、フィルタされた信号を無線通信システム内の受信機に、当該受信機に結合されたスケジューラにより提供されたタイムスロットで送信するステップであって、当該タイムスロットは当該受信機と通信する他の電子装置に関して独立に決定される、ステップを含む。１実施形態では、当該フィルタされた信号は同期基準で送信される。当該同期基準は、１例において、送信機および受信機が自身を同期できるようにする既知のパターンである。別の例では、サード・パーティ・ソースからの同期情報を使用してＥＤを当該受信機と同期させることができる。例えば、図３のＥＤ３０２により送信された変調信号は、スケジューラ２５３により提供されたタイムスロットで受信機３２０に送信される。ＥＤ３０２に提供されたタイムスロットは、受信機３２０と通信する他の電子装置（例えば、ＥＤ３０３）に関して独立に決定される。同様に、図３のＥＤ３０３により送信された変調信号はスケジューラ２５３により提供されたタイムスロットで受信機３２０に送信される。ＥＤ３０３に提供されたタイムスロットは、受信機３２０と通信する他の電子装置（例えば、ＥＤ３０２）に関して独立に決定される。ＥＤ３０２、３０３の各々により送信されたフィルタされた信号が、当該受信機と通信する他の電子装置に関して独立に決定されたスケジューラ２５３により提供されたタイムスロットで受信機３２０に送信されるので、および、ＥＤ３０２、３０３の各々により送信されたフィルタされた信号が隣接周波数帯におけるサイド・ローブ漏洩を削除または排除するので、タイミング・アドバンス・シグナリングに関するオーバヘッドを削除することができる。
【００８７】
図１０は、開示した実施形態に従う電子装置を動作する方法１１００の１例を示すが、様々な変更を図１０に行ってもよい。例えば、一連のステップで示しているが、図１０の様々なステップが重複し、並列に行われ、異なる順序で行われ、または任意回数行われることができる。
【００８８】
図１１は、例えば、図１の基地局１７０または図６の受信機６２０のような基地局により実施できる開示した実施形態に従って受信機を動作する方法１１００を示す流れ図である。
【００８９】
方法１１００は、ステップ１１０２で、複数の変調信号に対応する信号を受信するステップであって、当該複数の変調信号の各々は一意な電子装置に対応する、ステップを含む。例えば、受信信号３１０は、ＥＤ３０２、３０３の各々により送信された変調信号に対応し、受信機３２０で受信される。
【００９０】
方法１１００は、ステップ１１０４で、夫々の電子装置における対応するフィルタにマッチするフィルタで受信信号をフィルタして当該夫々の電子装置に対するフィルタされた信号を取得するステップを含む。例えば、第１のチェーンの受信機動作は受信信号３１０をフィルタｈ１＊（−ｎ）３２２でフィルタするステップを含む。フィルタｈ１＊（−ｎ）３２２はＥＤ＃１  ３０２で使用されるフィルタ３０８にマッチされる。
【００９１】
方法１１００は、ステップ１１０６で、高速フーリエ変換（ＦＦＴ）動作をフィルタされた信号に実施して夫々の電子装置に対応する復調されたデータを取得するステップを含む。例えば、図３に示すように、ｉ番目のチェーンの受信機動作は、ダウン・サンプリングの影響を説明するための拡大を含み、拡大された信号は、Ｎｉ点のＦＦＴブロック（例えば、「ショート」ＦＦＴ）を通過して、各シンボルを周波数領域に変換する。別の例として、図５に示すように、第１のチェーンの受信機動作は、循環プレフィックスが除去された後にフルサイズＦＦＴをＦＦＴブロック５３０で実施するステップを含む。さらに別の例として、図６に示すように、第１のチェーンの受信機動作は、ＦＦＴブロック６３０で除去された当該循環プレフィックスを有する結合された時間同期出力に単一のフルサイズＦＦＴを実施するステップを含む。
【００９２】
図１１は開示した実施形態に従う受信機を動作する方法１１００の１例を示すが、様々な変更を図１１に行ってもよい。例えば、一連のステップで示しているが、図１１の様々なステップが重複し、並列に行われ、異なる順序で行われ、または任意回数行われることができる。
【００９３】
幾つかの実施形態では、装置の１つまたは複数の機能または処理の一部または全部は、コンピュータ可読プログラムコードから形成されコンピュータ可読媒体で具体化されるコンピュータ・プログラムにより実装またはサポートされる。「コンピュータ可読プログラムコード」という語句は、ソース・コード、オブジェクト・コード、および実行可能コードを含む任意のタイプのコンピュータ・コードを含む。「コンピュータ可読媒体」という語句は、読取専用メモリ（ＲＯＭ）、ランダム・アクセス・メモリ（ＲＡＭ）、ハード・ディスク・ドライブ、コンパクト・ディスク（ＣＤ）、デジタル・ビデオ・ディスク（ＤＶＤ）、または任意の他のタイプのメモリのような、コンピュータによりアクセスできる任意のタイプの媒体を含む。
【００９４】
本特許出願を通じて使用された特定の単語や語句の定義を説明するのが有利かもしれない。「〜を含む」および「〜を備える」という用語ならびにそれらの派生物は限定なしの包含を意味する。「または」という用語は包括的であり、および／またはを意味する。「〜に関連付けられた」および「それに関連付けられた」という語句ならびにその派生物は、〜を含む、〜に含まれる、〜に相互接続される、〜を包含する、〜に包含される、〜にまたは〜と接続される、〜にまたは〜と結合される、〜と通信する、〜と協調する、〜とインタリーブする、〜並置する、〜と近接する、〜にまたは〜と束縛される、〜を有する、〜の性質を有する、等を意味する。
【００９５】
本開示では特定の実施形態および一般に関連付けられた方法を説明したが、これらの実施形態および方法の変形と置換は当業者には明らかである。したがって、例示的な実施形態の上述の説明は本開示を定義も制約もしない。以下の特許請求の範囲により定義されるように、本開示の趣旨と範囲から逸脱しない他の変更、置換、および変形も可能である。
【符号の説明】
【００９６】
１７０ａ  基地局
１７０ｂ  基地局
１３０  コア・ネットワーク
１５０  インターネット
１６０  他のネットワーク
２００  処理ユニット
２０２  送受信機
２０６  入出力
２０８  メモリ
２５０  処理ユニット
２５８  メモリ
２６６  入出力
【図１】
0006504572.tif 000010
【図２Ａ】
0006504572.tif 000011
【図２Ｂ】
0006504572.tif 000012
【図３】
0006504572.tif 000013
【図４】
0006504572.tif 000014
【図５】
0006504572.tif 000015
【図６】
0006504572.tif 000016
【図７】
0006504572.tif 000017
【図８】
0006504572.tif 000018
【図９】
0006504572.tif 000019
【図１０】
0006504572.tif 000020
【図１１】
0006504572.tif 000021